(57)【要約】【課題】      容易に釣り竿が支持でき、釣り竿を支持した状態で容易に持ち運びができる釣り竿支持装置を提供することである。【解決手段】  基体１と基体１を支持する３本の脚部２と、基体１に脚部２の間に配されるように取り付けた釣り竿支持部３を有し、基体１は略三角形状の板状に形成され、角部１ａの下面にそれぞれ３本の脚部２が取り付けられ、脚部２は基体１から突出した受け部４に回動可能に枢着されて基体１の下方に突設され、脚部２を開いた状態と閉じた状態に変更可能になって基体１の脚部２を取り付けた角部１ａの間の側面１ｂに筒状の釣り竿支持部６が取り付けられ、釣り竿支持部６は上方に開口を有し、上下方向を長手方向として配され、その上端は基体１より上方に突出し、開口の上方から釣り竿７のグリップ部が差し込まれて支持される。【選択図】        図３
2009050187.tif 000002
【特許請求の範囲】
【請求項１】
基体と該基体を支持する３本の脚部と前記基体に前記脚部の間に配されるように取り付けた釣り竿支持部からなることを特徴とする釣り竿支持装置。
【請求項２】
釣り竿支持部は、上端側に開口を有する筒状体で形成されていることを特徴とする請求項１記載の釣り竿支持装置。
【請求項３】
基体にハンドルを設けたことを特徴とする請求項１または２記載の釣り竿支持装置。
【発明の詳細な説明】
【技術分野】
【０００１】
本発明は、基体に３本の脚部を有し、基体の脚部間に釣り竿支持部を設けた釣り竿支持装置に関する。
【背景技術】
【０００２】
従来から状況に応じて釣り竿を変更できるように複数の釣り竿を用意して、そのうちの１本を使用し、他の釣り竿を地面に置いたり、立て掛けたりして近くに置いて釣りが行われていた。
このようにして置かれた釣り竿にはリ−ルや仕掛けが取り付けられてすぐに釣りが出来るようにしておくことも多々あったが、使用していない釣り竿が近くに置かれていると倒れたり、誤って踏んでしまうことがあった。
このため、釣り人は近くに釣り竿を置くときに特許文献１のような釣り用三脚を使用していた。
しかし、釣り用三脚を利用した時に、使用しない釣り竿を立て掛けておくことはできるが、場所を移動するときはこの三脚と立て掛けておいた釣り竿をそれぞれ手に持たなければならず、すぐに移動できないという不具合があった。
【特許文献１】特開平１０−３０４８０５号公報
【発明の開示】
【発明が解決しようとする課題】
【０００３】
解決しようとする問題点は、従来使用されている釣り用三脚は釣り竿を立て掛けておくことはできるが、場所を移動するときはこの三脚と立て掛けておいた釣り竿をそれぞれ手に持たなければならず、すぐに釣り場を移動出来ないことである。
【０００４】
本発明の目的は前記欠点に鑑み、容易に釣り竿が支持でき、釣り竿を支持した状態で容易に持ち運びができる釣り竿支持装置を提供することである。
【課題を解決するための手段】
【０００５】
本発明の請求項１は、基体と該基体を支持する３本の脚部と前記基体に前記脚部の間に配されるように取り付けた釣り竿支持部からなることを要旨とするものである。
本発明の請求項２は、釣り竿支持部は、上端側に開口を有する筒状体で形成されていることを要旨とするものである。
本発明の請求項３は、基体にハンドルを設けたことを要旨とするものである。
【発明の効果】
【０００６】
本発明により、使用しない釣り竿は筒状の釣り竿支持部の上方開口から中空部内に差し込んで支持し基体にハンドルが設けられているので、容易に釣り竿が支持でき、釣り竿を支持した状態で容易に釣り竿支持装置が持ち運びできる。
【発明を実施するための最良の形態】
【０００７】
基体１と基体１を支持する３本の脚部２と、基体１に脚部２の間に配されるように取り付けた釣り竿支持部３を有している。
基体１は略三角形状の板状に形成され、略三角形状の角部１ａの下面にそれぞれ３本の脚部２が取り付けられ、脚部２は基体１から突出した受け部４に支持軸５で回動して折り畳み可能に枢着されて基体１の下方に突設され、脚部２を開いた状態（使用状態）と閉じた状態（折り畳み状態）に変更可能になっている。
基体１の脚部２を取り付けた角部１ａの間の側面１ｂに筒状体からなる釣り竿支持部６が取り付けられている。
釣り竿支持部６はビス１０で固定したが蝶ネジ等で着脱自在に取り付けても良い。
釣り竿支持部６は上方に開口を有し、上下方向を長手方向として配され、その上端は基体１より上方に突出し、筒状の釣り竿支持部６の上方から釣り竿７のグリップ部が差し込まれて支持される。
【実施例１】
【０００８】
以下、図示の一実施例によって本発明を説明すると、図１は釣り竿支持装置の斜視図、図２は釣り竿支持装置の拡大平面図、図３は釣り竿支持装置の釣り竿支持部に釣り竿が挿通された斜視図、図４は釣り竿が釣り竿支持部に挿通された断面側面図である。
【０００９】
釣り竿支持装置は、基体１と基体１を支持する３本の脚部２と、基体１に脚部２の間に配されるように取り付けた釣り竿支持部３を有している。
基体１は略三角形状の板状に形成され、略三角形状の角部１ａの下面にそれぞれ３本の脚部２が取り付けられ、脚部２は基体１から突出した受け部４に支持軸５で回動して折り畳み可能に枢着されて基体１の下方に突設され、脚部２を開いた状態（使用状態）と閉じた状態（折り畳み状態）に変更可能になっている。
基体１の脚部２を取り付けた角部１ａの間の側面１ｂに筒状体からなる釣り竿支持部６が取り付けられている。
釣り竿支持部６はビス１０で固定したが蝶ネジ等で着脱自在に取り付けても良い。
釣り竿支持部６は上方に開口６ａを有し、上下方向を長手方向として配され、その上端は基体１より上方に突出し、筒状の釣り竿支持部６の上方から中空部６ｂ内に釣り竿７のグリップ部が差し込まれて支持される。
この場合、釣り竿７のグリップが地面に当接しても良いし、釣り竿７にリ−ル８を取り付けた場合は釣り竿支持部６は上方の開口に係止される。
また、開口に凹部６ｃを設けたためリ−ル脚部が凹部６ｃ内に納って安定して支持出来る。
凹部６ｃは基体１の中心から放射方向の釣り竿支持部６の外側の上方開口に設けられている。
【００１０】
釣り竿支持部６は基体１の脚部２の間に取り付けられたので脚部開閉が容易に行え、また、脚部２を開いた状態（使用状態）と閉じた状態の両方で釣り竿支持部６への釣り竿７の差し込みと取り出しが容易に出来る。
釣り竿支持部６は筒状のため差し込み取り出しが容易に行える。
しかも、基体１の上方にハンドル９を設けたので脚部２を開いた状態（使用状態）と閉じた状態の両方で持ち運びが出来る。
ハンドル９は基体１の上方に突設するように取り付けられ、基体１から上方に向かう桿部９ａと桿部９ａから屈曲されて水平方向に向かう握持部９ｂで形成されく字状に形成され、握持部９ｂは軸１１で回動可能に支持され折り畳み可能になっている。
なお、左右一対の上下方向に向かう桿部を形成しこれら桿部の上端部に架設した水平方向に向かう握持部を有するＵ字状のハンドルを設けても良い。
【００１１】
このような釣り竿支持装置を使用するときは、基体１の脚部２を開いて地面に立設し、筒状の釣り竿支持部６に使用しない釣り竿７（すぐ釣りが出来るようにリ−ルや仕掛けを取り付けておいても良い）を差し込んで支持しておき、釣り場の近くにおいて必要に応じて釣り竿を交換できるようにする。
釣り場を変更するときは、釣り竿支持部６に釣り竿を支持したままハンドルを握持して釣り竿支持装置を持ち上げて移動し、新たな釣り場の地面に設置する。
従って釣り竿支持装置を折り畳むことなく、また、釣り竿を取り外さないで運搬が出来、新しい釣り場ですぐに釣りを行うことが出来る。
ハンドル９は基体１に上方に突出して設けたため運搬中はバランスが取れて持ち運びがし易い。
使用しないときは脚部２を閉じた状態に折り畳んでおくことができる。
【００１２】
前記のように釣り竿支持装置が構成されると、使用しない釣り竿７は筒状の釣り竿支持部６の上方開口から中空部６ｂ内に差し込んで支持し基体１にハンドル９が設けられているので、容易に釣り竿７が支持でき、釣り竿７を支持した状態で容易に釣り竿支持装置が持ち運びできる。
【産業上の利用可能性】
【００１３】
前記説明では、釣り竿支持装置の全般に利用できる。
【図面の簡単な説明】
【００１４】
【図１】釣り竿支持装置の斜視図である。
【図２】釣り竿支持装置の拡大平面図である。
【図３】釣り竿支持装置の釣り竿支持部に釣り竿が挿通された斜視図である。
【図４】釣り竿が釣り竿支持部に挿通された断面側面図である。
【符号の説明】
【００１５】
１  基体
２  脚部
６  釣り竿支持部
６ａ  開口
７  釣り竿
９  ハンドル
【図１】
2009050187.tif 000003
【図２】
2009050187.tif 000004
【図３】
2009050187.tif 000005
【図４】
2009050187.tif 000006